(57)【要約】【課題】ボトルを安定した状態で梱包することができる安価な物品搬送用梱包具を提供する。【解決手段】内容物が充填される胴部と、内容物が出し入れされる頭部とを備えたボトルを梱包した状態で外箱６５に収容される物品搬送用梱包具１は、ボトルを梱包する第１梱包部４と第２梱包部５と、外箱６５に収容された状態で外箱６５の底面に当接する脚部１４，１５とを備え、第１梱包部４，第２梱包部５は、谷折りにされた溝部を有し、溝部の両側壁でボトルの胴部を支持する第１胴部支持部８、第２胴部支持部１１と、第１胴部支持部８、第２胴部支持部１１に胴部が支持されたボトルの頭部の端面に当接しボトルの軸心方向の位置決めをする第１位置決め部９，第２位置決め部１１と、第１胴部支持部８、第２胴部支持部１１に胴部が支持されたボトルの頭部を第１胴部支持部８、第２胴部支持部１１に押圧する可撓性フィルム３とを備えていることを特徴とする。【選択図】図７
2016060530.tif 000002
【特許請求の範囲】
【請求項１】
内容物が充填される胴部と、該胴部の上端部に配置され該内容物が出し入れされる頭部とを備えたボトルを梱包した状態で外箱に収容される物品搬送用梱包具であって、
該ボトルを梱包する梱包部と、
前記梱包部に連続して設けられ、該外箱に収容された状態で該外箱の底面に当接する脚部とを備えた物品搬送用梱包具であって、
前記梱包部は、
谷折りにされた溝部を有し、前記溝部の両側壁でボトルの胴部を支持する胴部支持部と、  前記胴部支持部に胴部が支持されたボトルの頭部の端面に当接しボトルの軸心方向の位置決めをする位置決め部と、
前記胴部支持部に胴部が支持されたボトルの頭部を胴部支持部側に押圧する押圧部と、
を備えていることを特徴とする物品搬送用梱包具。
【請求項２】
請求項１に記載の物品搬送用梱包具であって、
前記位置決め部は山折りされた壁部を備え、前記壁部の端面に該ボトルの頭部が当接して該ボトルの軸心方向の位置決めがされており、
前記押圧部は前記位置決め部に非接着の状態で重ねられ所定の長さだけボトルの頭部側に突出したフィルムであることを特徴とする物品搬送用梱包具。
【請求項３】
請求項１に記載の物品搬送用梱包具であって、
前記位置決め部は山折りされた壁部を備え、前記壁部の端面に該ボトルの頭部が当接して該ボトルの軸心方向の位置決めがされており、
前記押圧部は前記位置決め部に対してボトルの軸心方向に隣接して設けられ、ボトルの頭部の外周面の両側部を斜め方向から押圧する第１壁部と、ボトルの頭部の外周面を上方から押圧する第２壁部とを備えていることを特徴とする物品搬送用梱包具。
【請求項４】
請求項１〜３の一に記載の物品搬送用梱包具であって、
前記脚部は弾性変形した状態で外箱の側壁に当接していることを特徴とする物品搬送用梱包具。
【発明の詳細な説明】
【技術分野】
【０００１】
本発明は、物品搬送用梱包具に関し、例えば宅配便で配達される物品の梱包に利用可能な物品搬送用梱包具に関する。
【背景技術】
【０００２】
ＴＶショッピングやネットショッピングの普及により、宅配便を利用した商品の搬送が多用されており、これらの商品の搬送においては、箱体に収納された物品が内部で移動したり、箱体の外部から加わった衝撃を受けたりせず、安定した状態で搬送できる物品搬送用梱包具が求められている。
【０００３】
例えば特許文献１には、軸体や棒状体などの被収納物を箱体に収納して輸送する際に、被収納物の軸心方向の中央部を紙製固定具で保持することが記載されているが、シャンプーやコンディショナなどが充填されたボトルを箱体に収納して宅配便などで輸送する場合に安定した状態で輸送したい場合がある。
【０００４】
たとえば箱体の内部に仕切りを設けて内部空間を仕切り、仕切りで仕切った個別の空間にボトルを収納して輸送中にボトルが移動することを防止することがある。また、多数の箇所に空気を含んだ樹脂製のシートでボトルを巻いて箱体に収納したり、細かく裁断した紙屑や木屑を箱体に詰めて、その上にボトルを載置することがある。
【先行技術文献】
【特許文献】
【０００５】
【特許文献１】特開２００５−３２００５３号公報
【発明の概要】
【発明が解決しようとする課題】
【０００６】
しかしながら、サイズが異なる複数の物品に合わせて箱体の内部空間に仕切りを設けることととするとコスト高となる。また、この場合には物品が箱体の底面に直接載置されており、箱体に加わる外部からの衝撃を受け易い。
【０００７】
内部に空気を含んだ樹脂製のシートでボトルを巻いて箱体に収納したり、紙屑や木屑を箱体の底部に敷き詰めて、その上にボトルを載置する場合には、箱体に加わる外部からの衝撃は緩和されるが、物品が移動し易く、物品を所定の位置に固定することが難しい。さらに、不要になった紙屑や木屑の処分に手間が掛かる。
【０００８】
本発明は、従来のこのような問題点を解決するためになされたものであって、その目的の一は、ボトルを安定した状態で梱包することができる安価な物品搬送用梱包具を提供することにある。
【課題を解決するための手段及び発明の効果】
【０００９】
上記目的を達成するために、本発明の第一の側面に係る物品搬送用梱包具によれば、内容物が充填される胴部と、該胴部の上端部に配置され該内容物が出し入れされる頭部とを備えたボトルを梱包した状態で外箱に収容される物品搬送用梱包具であって、該ボトルを梱包する梱包部と、前記梱包部に連続して設けられ、該外箱に収容された状態で該外箱の底面に当接する脚部とを備えた物品搬送用梱包具であって、前記梱包部は、谷折りにされた溝部を有し、前記溝部の両側壁でボトルの胴部を支持する胴部支持部と、前記胴部支持部に胴部が支持されたボトルの頭部の端面に当接しボトルの軸心方向の位置決めをする位置決め部と、前記胴部支持部に胴部が支持されたボトルの頭部を胴部支持部側に押圧する押圧部と、を備えていることを特徴とする。
【００１０】
上記構成によれば、被梱包物であるボトルは、胴部支持部によって胴部が支持され、位置決め部によってボトルの軸心方向の位置決めがされ、押圧部によってボトルの頭部が胴部支持部側に押圧されるので、物品搬送用梱包具が収容された外箱の外部からの衝撃に対して、ボトル安定した状態に保つことができる。
【００１１】
また、前記位置決め部は山折りされた壁部を備え、前記壁部の端面に該ボトルの頭部が当接して該ボトルの軸心方向の位置決めがされており、前記押圧部は前記位置決め部に非接着の状態で重ねられ所定の長さだけボトルの頭部側に突出したフィルムであることを特徴とする。
【００１２】
上記構成によれば、ボトルの頭部をフィルムの内側に挿入して、位置決め部の山折りされた壁部の端面に当接させると、ボトルの頭部側に突出したフィルムによってボトルの頭部を胴部支持部側に簡単に押圧することができる。
【００１３】
また、前記位置決め部は山折りされた壁部を備え、前記壁部の端面に該ボトルの頭部が当接して該ボトルの軸心方向の位置決めがされており、前記押圧部は前記位置決め部に対してボトルの軸心方向に隣接して設けられ、ボトルの頭部の外周面の両側部を斜め方向から押圧する第１壁部と、ボトルの頭部の外周面を上方から押圧する第２壁部とを備えていることを特徴とする。
【００１４】
上記構成によれば、ボトルの頭部をフィルムの内側に挿入して、位置決め部の山折りされた壁部の端面に当接させると、ボトルの頭部の外周面の両側部が１壁部によって斜め方向から押圧され、ボトルの頭部の外周面の上部が第２壁部によって押圧されるので、ボトルの頭部を簡単にかつ確実に胴部支持部側に押圧することができる。
【００１５】
また、前記脚部は弾性変形した状態で外箱の側壁に当接していることを特徴とする。
【００１６】
上記構成によれば、物品搬送用梱包具は、弾性変形した脚部の外面が外箱の側壁に当接して安定した状態で外箱に収容される。
【図面の簡単な説明】
【００１７】
【図１】本発明の第１の実施の形態に係る物品搬送用梱包具を構成する梱包具本体の展開図である。
【図２】物品搬送用梱包具の斜視図である。
【図３】物品搬送用梱包具に物品を梱包する手順を示す斜視図である。
【図４】物品搬送用梱包具に物品を梱包する手順を示す斜視図である。
【図５】物品搬送用梱包具に物品を梱包する手順を示す斜視図である。
【図６】物品搬送用梱包具に物品を梱包する手順を示す斜視図である。
【図７】物品搬送用梱包具に物品を梱包する手順を示す斜視図である。
【図８】物品搬送用梱包具に物品を梱包する手順を示す斜視図である。
【図９】本発明の第２の実施の形態に係る物品搬送用梱包具の展開図である。
【図１０】物品搬送用梱包具のブランク材の斜視図である。
【図１１】物品搬送用梱包具に物品を梱包する手順を示す斜視図である。
【図１２】物品搬送用梱包具に物品を梱包する手順を示す斜視図である。
【図１３】物品搬送用梱包具に物品を梱包する手順を示す斜視図である。
【図１４】物品搬送用梱包具に物品を梱包する手順を示す斜視図である。
【図１５】物品搬送用梱包具に物品を梱包する手順を示す斜視図である。
【図１６】物品搬送用梱包具に物品を梱包した状態の斜視図である。
【発明を実施するための形態】
【００１８】
以下、本発明の第１の実施例に係る物品搬送用梱包具１を図１〜図８に基づいて説明する。ただし、以下に示す実施例は、本発明の技術思想を具体化するための物品搬送用梱包具を例示するものであって、物品搬送用梱包具を以下のものに限定するものではない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００１９】
物品搬送用梱包具１は、第１梱包部４と第２梱包部５とを備えた梱包具本体２と、透光性を有し伸縮可能な可撓性フィルム３とを備えており、被梱包物品として、たとえばシャンプーボトルを２つ横並びに梱包可能である。図１は梱包具本体２の展開図を示し、図２は物品搬送用梱包具１の斜視図を示す。
【００２０】
第１梱包部４は、ボトルの胴部を支持する第１胴部支持部８と、第１胴部支持部８に胴部が支持されたボトルの頭部を当接させてボトルの位置決めをする第１位置決め部９と、ボトルの底面を支持する第１底面支持部１０とを備えている。第２梱包部５は、ボトルの胴部を支持する第２胴部支持部１１と、第２胴部支持部１１に胴部が支持されたボトルの頭部を当接させてボトルの位置決めをする第２位置決め部１２と、ボトルの底面を支持する第２底面支持部１３とを備えている。第１梱包部４と第２梱包部５との側部には脚部１４，１５が設けられている。
【００２１】
第１胴部支持部８は、折曲線２１を介して折り曲げ可能に連結された２つの支持面２２，２３を有している。第１位置決め部９は折曲線２１の一端部に形成されており、第１底面支持部１０は折曲線２１の他端部に形成されている。第２胴部支持部１１は、折曲線２４を介して折り曲げ可能に連結された２つの支持面２５，２６を有している。第２位置決め部１２は折曲線２４の一端部に形成されており、第２底面支持部１３は折曲線２４の他端部に形成されている。
【００２２】
第１位置決め部９は、折曲線２７を介して折り曲げ可能に連結された２つの壁部２８，２９を有しており、この壁部２８，２９によって、第１胴部支持部８の上方に凸となるように形成される。なお、壁部２８，２９には切り込み３０が設けられており、２つの壁部２８，２９はそれぞれ壁部２８ａ，２８ｂと壁部２９ａ，２９ｂとに分割されている。これによって、ボトルのサイズに合わせてボトルの頭部を当接させる位置を２段階に変更することができる。第１底面支持部１０は、折曲線３３を介して折り曲げ可能に連結された２つの壁部３４，３５を有しており、この壁部３４，３５によって第１胴部支持部８の上方に凸となるように形成される。
【００２３】
第２位置決め部１２は、折曲線３７を介して折り曲げ可能に連結された２つの壁部３８，３９を有しており、この壁部３８，３９によって第２胴部支持部１１の上方に凸となるように形成される。なお、壁部３８，３９には切り込み４０が設けられており、２つの壁部３８，３９はそれぞれ壁部３８ａ，３８ｂと壁部３９ａ，３９ｂとに分割されている。これによって、ボトルのサイズに合わせてボトルの頭部を当接させる位置を２段階に変更することができる。第２底面支持部１３は、折曲線４３を介して折り曲げ可能に連結された２つの壁部４４，４５を有しており、この壁部４４，４５によって第２胴部支持部１１の上方に凸となるように形成される。
【００２４】
なお、第１位置決め部９の折曲線２７の端部、第２位置決め部１２の折曲線３７の端部には、半円状の孔部４９，５０が設けられており、第１底面支持部１０の折曲線３３の端部、第２底面支持部１３の折曲線４３の端部には、半円状の孔部５１，５２が設けられており、作業者はこの孔部４９，５０，５１，５２に指を差し込んで、第１位置決め部９の壁部２８，２９、第２位置決め部１２の壁部３８，３９、第１底面支持部１０の壁部３４，３５、第２底面支持部１３の壁部４４，４５を簡単にそれぞれ上方に凸となるように折り曲げることができる。
【００２５】
可撓性フィルム３は、第１位置決め部９、第２位置決め部１２に非接着の状態で重ねられ、両端部が脚部１４，１５に接着されており、ボトルの頭部が当接する第１位置決め部９、第２位置決め部１２の端面５５，５６から所定の長さだけボトルの頭部側に突出している。
【００２６】
ここで、物品搬送用梱包具１を用いてボトルを梱包する手順について図３〜図８に基づいて説明する。本実施例では、第１胴部支持部８に大型のボトルを梱包し、第２胴部支持部１１に小型のボトルを梱包する。
【００２７】
まず、第１梱包部４と第２梱包部５とを連結している折曲線６１で、第１胴部支持部８の支持面２３と第２胴部支持部１１の壁部２６とを山折りする。そして、第１胴部支持部８の支持面２３と第１胴部支持部８の支持面２２とを連結する折曲線２１で、第１胴部支持部８の支持面２３と第１胴部支持部８の支持面２２とを谷折りにして溝部を形成する。この溝部の両側壁である支持面２２，２３でボトルの胴部が支持される。このとき第１位置決め部９の２つの壁部２８ａ，２９ａを折曲線２７で山折りにする。第１位置決め部９を山折りにすると、第１位置決め部９に非接着の状態で一部が重ねられている可撓性フィルム３は、第１位置決め部８によって、Ｖ字状に谷折りされた第１胴部支持部８の支持面２２と第１胴部支持部８の支持面２３との上方に凸となるように押し上げられる。
【００２８】
さらに第２胴部支持部１１の壁部２６と第２胴部支持部１１の壁部２５とを連結する折曲線２４で、第２胴部支持部１１の壁部２６と第２胴部支持部１１の壁部２５とを谷折りする。このとき第２位置決め部１１の２つの壁部３８，３９を折曲線３７で山折りにする。さらに第２底面支持部１３の壁部４４，４５を上方に凸となるように折り曲げる。第２位置決め部１２を山折りにすると、第２位置決め部１２に非接着の状態で重ねられている可撓性フィルム３は、第２位置決め部１２によって、Ｖ字状に谷折りされた第２胴部支持部１１の支持面２６と第２胴部支持部１１の壁部２５との上方に凸となるように押し上げられる。
【００２９】
そして、第１胴部支持部８の支持面２２と脚部１４とを連結する折曲線６２で、第１胴部支持部８の支持面２２と脚部１４とを山折りし、さらに第２胴部支持部１１の支持面２５と脚部１５とを連結する折曲線６３で、第２胴部支持部１１の支持面２５と脚部１５とを山折りにして、物品搬送用梱包具１の断面がＭ字状となるようにする。このときの状態を図３に示す。
【００３０】
断面がＭ字状となるように折り曲げられた物品搬送用梱包具１は、図４，図５に示すように、外箱６５に収容される。物品搬送用梱包具１は、弾性変形した状態で外箱６５に収容され、脚部１４，１５の外面が外箱６５の側壁６６，６７に当接し、Ｖ字状に谷折りされた第１胴部支持部８と第２胴部支持部１１との底部７０，７１と、脚部１４，１５の下端とが外箱６５の底面に当接した安定した状態で収容される。
【００３１】
外箱６５に収容された物品搬送用梱包具１で大型のシャンプーボトルＭ１と小型のシャンプーボトルＭ２とを梱包する手順を図６，図７に基づいて説明する。物品搬送用梱包具１の第１梱包部４には、大型のシャンプーボトルＭ１が梱包される。まず、シャンプーボトルＭ１の頭部を可撓性フィルム３の内部に挿入し、頭部の端面を第１位置決め部８の壁部２８ａ，２９ａの端面に当接させる。この状態でシャンプーボトルＭ１の胴部を、第１胴部支持部８のＶ字状に形成された支持面２２，２３に載置する。支持面２２，２３に載置されたシャンプーボトルＭ１は、シャンプーボトルＭ１の軸心方向と直交する半径方向の動きが規制されており、またシャンプーボトルＭ１の頭部が位置決めされる第１位置決め部９と、シャンプーボトルＭ１の底面が当接している外箱６５の側壁７２とによって、シャンプーボトルＭ１の軸心方向の動きが規制される。さらに第１位置決め部９で位置決めされているシャンプーボトルＭ１の頭部は可撓性フィルム３で覆われて、第１胴部支持部８側に押圧されている。これによってシャンプーボトルの頭部が第１位置決め部８から浮き上がることが防止される。
【００３２】
第２梱包部５には、小型のシャンプーボトルＭ２が梱包される。まず、シャンプーボトルＭ２の頭部を可撓性フィルム３の内部に挿入し、頭部の端面を第２位置決め部１２の壁部３８ｂ，３９ｂの端面に当接させる。この状態でシャンプーボトルＭ２の胴部を、第２胴部支持部１１の支持面２５，２６に載置し、シャンプーボトルＭ２の底面を第２底面支持部１３の壁部４４，４５に当接させる。第２胴部支持部１１の支持面２５，２６に載置されたシャンプーボトルＭ２は、シャンプーボトルＭ２の軸心方向と直交する半径方向の動きが規制されており、またシャンプーボトルＭ２の頭部が位置決めされる第２位置決め部１２と、シャンプーボトルＭ２の底面が当接している第２底面支持部１３とによって、シャンプーボトルＭ２の軸心方向の動きが規制される。さらに第２位置決め部１２で位置決めされているシャンプーボトルＭ２の頭部は可撓性フィルム３で覆われて、第２胴部支持部１１側に押圧されている。これによってシャンプーボトルＭ２の頭部が第２位置決め部１２から浮き上がることが防止される。
【００３３】
なお、第１梱包部４に載置されたシャンプーボトルＭ１の胴部と第２梱包部５に載置されたシャンプーボトルＭ２の胴部との上面には、取り扱い説明書などの冊子が載せられた状態で、外箱６５の蓋体が設置される。これによって、シャンプーボトルＭ１，Ｍ２の胴部が第１胴部支持部８、第２胴部支持部１１から浮き上がることが防止される。
【００３４】
本実施形態において、２本のシャンプーボトルＭ１，Ｍ２が梱包される場合について説明したが、これに限定されるものではない。図８は、第２梱包部５に、被梱包物品としてたとえば化粧品が収容された紙製の小箱Ｍ３を載置した場合を示す。小箱Ｍ３は、可撓性フィルム３の内部に挿入されない。可撓性フィルム３を第２胴部支持部１１側に押し付けた状態で、小箱Ｍ３の一方側の端面を第２位置決め部１２の壁部３８ｂ，３９ｂの端面に当接させ、小箱Ｍ３の胴部を第２胴部支持部１１の支持面２５，２６に載置する。そして小箱Ｍ３の他方側の端面を第２底面支持部１３の壁部４４，４５に当接させる。このようにして小箱Ｍ３を梱包することもできる。
【００３５】
本発明の第２の実施例に係る物品搬送用梱包具８１を図９〜図１６に基づいて説明する。なお、押圧部８２は、第１梱包部４と第２梱包部５との両方に設けられるが、説明を簡単にするために第１梱包部４に設けられる押圧部８２についてのみ説明する。第１の実施例の説明と重複する部分については説明を省略し、同一の参照符を用いることとする。
【００３６】
図９は物品搬送用梱包具８１の展開図を示し、図１０は物品搬送用梱包具８１のブランク材の斜視図を示す。位置決め部９は、折曲線２７を介して折り曲げ可能な壁部２８，２９によって、第１胴部支持部８の上方に凸となるように形成されているが、この位置決め部９に隣接して、シャンプーボトルＭ１の頭部を第１胴部支持部８側に押圧する押圧部８２が形成されている。押圧部８２は、位置決め部９の壁部２８，２９に対してシャンプーボトルＭ１の軸心方向に隣接して設けられており、第１胴部支持部８のＶ字状に折り曲げられる２つの支持面２２，２３にそれぞれ折曲線８３，８４を介して折り曲げ可能に設けられた壁部８５，８６と、壁部８５と壁部８６とを連結する壁部８７とを備えている。
【００３７】
図１１は物品搬送用梱包具８１が組み立てられた状態を示し、図１２〜１３は物品搬送用梱包具８１が外箱６５に収容される手順を示す。第１胴部支持部８の支持面２２と第１胴部支持部８の支持面２３とを連結する折曲線２１で、第１胴部支持部８の支持面２２と胴部支持部８の支持面２３とをＶ字状に谷折りするとき、位置決め部９の２つの壁部２８，２９が折曲線２７で山折りにされ、さらに押圧部８２の壁部８５，８６が折曲線８３，８４を介して立ち上げられ、押圧部８２は上部の壁部８７が水平となる山形状に形成される。
【００３８】
図１４，図１５は物品搬送用梱包具８１でシャンプーボトルＭ１を梱包する手順を示す。シャンプーボトルＭ１を物品搬送用梱包具８１で梱包する場合には、シャンプーボトルＭ１の頭部を押圧部８２の内部に挿入し、位置決め部９の逆Ｖ字状に形成された２つの壁部２８，２９の端面に当接させる。そうするとシャンプーボトルＭ１の頭部の外周面は、押圧部８２の両側部に位置し傾斜した壁部８５，８６によって両側部が斜め方向から押圧され、さらに押圧部８２の上部に位置し水平方向に向く壁部８７によって上方から押圧される。壁部８５，８６は第１壁部であり、壁部８７は第２壁部である。
【００３９】
これによって、シャンプーボトルＭ１の頭部を第１胴部支持部８側に確実に押圧することができる。さらに、可撓性フィルムを用いてボトルの頭部を覆わないので部品点数を少なくすることができ、コスト削減を図ることができる。なお、図１６に示すように、押圧部８２と第２底面支持部１３の間に化粧品の小箱Ｍ３を収容して、第１の実施例と同様に梱包することもできる。
【産業上の利用可能性】
【００４０】
本発明の物品搬送用梱包具は、シャンプーなどのボトル、食品や化粧品の箱などの物品を箱詰めして搬送する場合に、物品の梱包具として好適に利用できる。
【符号の説明】
【００４１】
１，８１…物品搬送用梱包具
Ｍ１，Ｍ２，Ｍ３…シャンプーボトル
２…梱包具本体
３…可撓性フィルム
４…第１梱包部
５…第２梱包部
８…第１胴部支持部
９…第１位置決め部
１０…第１底面支持部
１１…第２胴部支持部
１２…第２位置決め部
１３…第２底面支持部
１４，１５…脚部
２１，２４，２７，３３，３７，４３，６１，６２，６３，８３，８４…折曲線
２２，２３，２５，２６…支持面
２８，２８ａ，２８ｂ，２９，２９ａ，２９ｂ，３４，３５，３８，３９，３８ａ，３８ｂ，３９ａ，３９ｂ，４４，４５，８５，８６，８７…壁部
３０，４０…切り込み
４９，５０，５１，５２…孔部
５５，５６…端面
６５…外箱
６６，６７，７２…側壁
７０，７１…底部
８２…押圧部
【図１】
2016060530.tif 000003
【図２】
2016060530.tif 000004
【図３】
2016060530.tif 000005
【図４】
2016060530.tif 000006
【図５】
2016060530.tif 000007
【図６】
2016060530.tif 000008
【図７】
2016060530.tif 000009
【図８】
2016060530.tif 000010
【図９】
2016060530.tif 000011
【図１０】
2016060530.tif 000012
【図１１】
2016060530.tif 000013
【図１２】
2016060530.tif 000014
【図１３】
2016060530.tif 000015
【図１４】
2016060530.tif 000016
【図１５】
2016060530.tif 000017
【図１６】
2016060530.tif 000018